(57)【特許請求の範囲】
【請求項１】
昇降路内に立設されたガイドレールと、
前記ガイドレールに案内されて昇降路内を昇降する昇降体と、
前記昇降体に設けられ、前記ガイドレールにかみ合って前記昇降体を案内する固定ガイドシューと、
前記固定ガイドシューに一体的に設けられ、前記ガイドレール側に向かって進退自在に移動する移動ガイドシューと、
前記固定ガイドシューに端部が回転自在に支持され、中間部に前記移動ガイドシューが連結され、先端に前記ガイドレールに接触するローラーが設けられたローラー腕と、
前記ローラー腕と前記固定ガイドシューとの間に設けられ、前記ローラー腕及びローラーを常時前記ガイドレール側に押し付ける押し付けバネとを備え、
前記固定ガイドシューと前記移動ガイドシューは、互いの接触面同士でアリ溝結合されて一体的に構成され、移動ガイドシューが外れないように構成されていることを特徴とするエレベータの移動ガイドシュー装置。
【請求項２】
地震荷重によりガイドレールが曲がって固定ガイドシューがガイドレールから外れても、固定ガイドシューと一体的に構成された移動ガイドシューが押し付けバネにより押し付けられ、ローラーがガイドレールの頂部に当たり、移動ガイドシューがガイドレールから外れないようにしたことを特徴とする請求項１記載のエレベータの移動ガイドシュー装置。
【発明の詳細な説明】
【技術分野】
【０００１】
この発明は、エレベータの移動ガイドシュー装置に関するものである。
【背景技術】
【０００２】
エレベータのかごの昇降を案内するガイドレールは、所定の間隔で昇降路壁に固定されているが、地震時においてかごの横揺れによる撓みが大きいと、ガイドレールからかごのガイドシューが外れ易いという問題点がある。ガイドレールの固定間隔を長くすると、かごの横揺れに対して撓み易く、固定間隔を短くすれば撓みにくくなる。一般的には、かごの大きさ・重量に対応する強度のガイドレールを選定するが、据付け作業低減のため、固定間隔を長くしたい時は、サイズアップした強度のガイドレールを採用することが通常行われている。しかし、この場合は、当然カイドレールのコストアップに繋がってくる。
また、地震発生時にかごとガイドレールのかみ合い外れを防止するため、地震を検知すると、ガイドレールを把持するレール把持装置を設けたもの（例えば、特許文献１）、或いはガイドレールとつり合いおもりとの外れを防止する係合部材の先端が外側に反った舟形シューとし、ガイドレールの背の中央部に移動するようにしたものがある（例えば、特許文献２参照）。
【０００３】
【特許文献１】特開平９−２０２５５８号公報
【特許文献２】特開平１０−８７２２６号公報
【発明の開示】
【発明が解決しようとする課題】
【０００４】
従来のように、据付け作業低減のためにサイズアップしたガイドレールを採用すると、コストアップに繋がるという問題がある。
また、地震発生時にかごとガイドレールのかみ合い外れを防止するため、地震を検知すると、ガイドレールを把持するレール把持装置を設けたものでは、構成が複雑になるという問題がある。また、ガイドレールとつり合いおもりとの外れを防止する係合部材の先端が外側に反った舟形シューとし、ガイドレールの背の中央部に移動するようにしたものでは、構造的にガイドレールの背を移動させなければならないため、ガイドレールの固定を如何に行うかが問題となる。
【０００５】
この発明は、上述のような課題を解決するためになされたもので、ガイドレールの撓みにより、昇降体に設けられた固定ガイドシューがガイドレールから外れても、固定ガイドシューに設けた移動ガイドシューがガイドレール側に移動してガイドレールから外れないようにしたエレベータの移動ガイドシュー装置を提供するものである。
【課題を解決するための手段】
【０００６】
この発明に係るエレベータの移動ガイドシュー装置においては、昇降路内に立設されたガイドレールと、ガイドレールに案内されて昇降路内を昇降する昇降体と、昇降体に設けられ、ガイドレールにかみ合って昇降体を案内する固定ガイドシューと、固定ガイドシューに一体的に設けられ、ガイドレール側に向かって進退自在に移動する移動ガイドシューと、固定ガイドシューに端部が回転自在に支持され、中間部に移動ガイドシューが連結され、先端にガイドレールに接触するローラーが設けられたローラー腕と、ローラー腕と固定ガイドシューとの間に設けられ、ローラー腕及びローラーを常時ガイドレール側に押し付ける押し付けバネとを備え、固定ガイドシューと移動ガイドシューは、互いの接触面同士でアリ溝結合されて一体的に構成され、移動ガイドシューが外れないように構成されているものである。
【０００８】
また、地震荷重によりガイドレールが曲がって固定ガイドシューがガイドレールから外れても、固定ガイドシューと一体的に構成された移動ガイドシューが押し付けバネにより押し付けられ、ローラーがガイドレールの頂部に当たり、移動ガイドシューがガイドレールから外れないようにしたものである。
【発明の効果】
【０００９】
この発明によれば、ガイドレールの撓みにより、かごに設けられた固定ガイドシューがガイドレールから外れても、固定ガイドシューに設けた移動ガイドシューがガイドレール側に移動してガイドレールから外れないので、ガイドレールのサイズアップを不要にすることができ、コストアップを抑えることができるという効果がある。
【発明を実施するための最良の形態】
【００１０】
実施の形態１．
図１はこの発明の実施の形態１におけるエレベータの移動ガイドシュー装置を示す側面図、図２はこの発明の実施の形態１におけるエレベータの移動ガイドシュー装置を示す平面図、図３は図１のＡ−Ａ線に沿った断面図である。
【００１１】
図において、１は昇降路内に立設された一対のガイドレール、２は一対のガイドレール１に案内されて昇降する昇降体で、エレベータのかご又はつり合いおもり等からなる。３は昇降体２のガイドレール１と対向する両側の上下部にそれぞれ設けられた固定ガイドシューで、通常はガイドレール１にかみ合って昇降体２の昇降を案内する。４は固定ガイドシュー３の反昇降体側端部（図示の上端部）にそれぞれ設けられた移動ガイドシューで、その昇降体側面部（図示の下部接触面）が固定ガイドシュー３の反昇降体側面部（図示の上部接触面）との間で互いにアリ溝結合５されて一体的に構成され、ガイドレール１側に向かって進退自在で、かつガイドレール１から外れないように構成されている。移動ガイドシュー４は、通常時、ガイドレール１に接触していない構造である。６は昇降体側端部（図示の下端部）を固定ガイドシュー３の一側面に軸７により回転自在に支持されたローラー腕で、その反昇降体側端部（図示の上端部）にはガイドレール１の頂部に接触するローラー８が取り付けられている。９は固定ガイドシュー３の一側面に設けられたバネ座、１０はバネ座９とローラー腕５との間に設けられた押し付けバネで、ローラー腕５とその反昇降体側端部（図示の上端部）のローラー８を常時ガイドレール１側に押し付けている。１１はローラー腕６の中間部に縦方向に長くなるように形成された長穴で、この長穴には移動ガイドシュー４の側面に設けられたピン１２が挿入されており、移動ガイドシュー４を前後（図示の左右）方向に移動可能にしている。
【００１２】
上記のように構成されたエレベータの移動ガイドシュー装置においては、地震荷重等がかかって、反対側のガイドレール１が曲がった時、固定ガイドシュー３がガイドレール１から外れても、固定ガイドシュー３と一体的に構成された移動ガイドシュー４が押し付けバネ１０により押し付けられて追従するので、ローラー８がガイドレール１の頂部に当たり、移動ガイドシュー４がガイドレール１から外れることはない。
【００１３】
この実施の形態１によれば、従来は据付け作業低減のために、固定間隔を長くしたい時は、ガイドレールのサイズアップが必要であったが、ガイドレールのサイズアップを不要にすることができ、コストアップを抑えることができる。また、停電になっても、機械的構造であるため、動作可能であり、電気配線も不要になる。また、自動的に復帰する構造であるため、復帰忘れがなく保守が容易である。
【図面の簡単な説明】
【００１６】
【図１】この発明の実施の形態１におけるエレベータの移動ガイドシュー装置を示す側面図である。
【図２】この発明の実施の形態１におけるエレベータの移動ガイドシュー装置を示す平面図である。
【図３】図１のＡ−Ａ線に沿った断面図である。
【符号の説明】
【００１７】
１  ガイドレール
２  昇降体
３  固定ガイドシュー
４  移動ガイドシュー
５  アリ溝結合
６  ローラー腕
７  軸
８  ローラー
９  バネ座
１０  押し付けバネ
１１  長穴
１２  ピン
１３  電磁石装置
１４  電気配線
【図１】
0004779769.tif 000002
【図２】
0004779769.tif 000003
【図３】
0004779769.tif 000004